(57)【要約】【課題】原稿の位置情報を取得するために設けた検知手段がより正確に検知結果を出力できるように構成する。【解決手段】密着イメージセンサに対して原稿搬送方向上流側の下ガイド板１０ａの一部に、揺動によって原稿の先後端を検知するセンサのアクチュエータの自由端を遊嵌するための孔部１０ｃを形成し、上ガイド板１０ｂにおける孔部１０ｃの両側近傍に凸部１０ｅ，１０ｅを形成する。その結果、原稿がセンサによる検知位置を通過する際、凸部１０ｅ，１０ｅによってガイド板の隙間が小さくなるので、原稿端部の形状およびアクチュエータに当接する位置を安定させた状態で検知位置を通過させることができる。【選択図】図６
2005039843.tif 000002
【特許請求の範囲】
【請求項１】
原稿を搬送する搬送手段と、原稿搬送時に原稿の両面が当接する一対の案内手段と、原稿搬送時に先後端を検知する検知手段とを備えた原稿搬送装置において、
前記案内手段における前記検知手段による検知位置近傍の部位に凸部を設け、前記凸部を、原稿の画像面の反対面に当接させる部位に設けたことを特徴とする原稿搬送装置。
【請求項２】
請求項１記載の原稿搬送装置と、この原稿搬送装置によって搬送された原稿の画像を読み取る画像読取手段とを有することを特徴とする原稿読取装置。
【発明の詳細な説明】
【技術分野】
【０００１】
本発明は、複写機やファクシミリ装置またはこれらの機能を備えた複合機等に適用される原稿搬送装置および原稿読取装置に関する。
【背景技術】
【０００２】
図７は従来の原稿搬送装置の構成を示す説明図であり、１は原稿をセットする原稿載置台、２は原稿載置台１にセットされた原稿における最上位の原稿に当接するピックアップローラ、３はピックアップローラ２の回転によって搬送された原稿を搬送するフィードローラ、４は、フィードローラ３に当接し、ピックアップローラ２から原稿が複数枚搬送された場合に１枚ずつ分離する分離ローラ、５はフィードローラ３の回転によって搬送された原稿を搬送するＲ０ローラ対、６はＲ０ローラ対５の回転によって搬送された原稿の先後端を検知するＳ０センサ、７はＲ０ローラ対５の回転によって搬送された原稿を搬送するＲ１ローラ対、８はＲ１ローラ対７の回転によって搬送された原稿の先後端を検知するＳ１センサ、９は原稿の画像を光学的に読み取る密着イメージセンサ、１０は、フィードローラ３の回転によって搬送された原稿を、Ｒ０ローラ対５、Ｒ１ローラ対７を介してコンタクトガラス９ａに導くようにガイドするガイド板を示す。このガイド板１０は、原稿の画像面側をガイドする下ガイド板１０ａ（図１０を基に後述する）と、原稿の画像面の反対面側をガイドする上ガイド板１０ｂ（図１０を基に後述する）の対から構成されている。
【０００３】
１１は密着イメージセンサ９を通過した原稿を搬送するＲ２ローラ対、１２はＲ２ローラ対１１の回転によって搬送された原稿を外部に排出する原稿排紙ローラ対、１３は原稿排紙ローラ対１２によって排出された原稿をスタックする排紙台、１４はＲ１ローラ対７を介して密着イメージセンサ９に原稿を送り出すための原稿を載置する補助原稿載置台を示す。
【０００４】
図７に示す画像読取装置は、ピックアップローラ２、フィードローラ３、Ｒ０ローラ対５の一方のローラ、ガイド板１０等がユニット化されてなる原稿搬送部と、分離ローラ４、Ｒ０ローラ対５の他方のローラ、Ｓ０センサ６、Ｒ１ローラ対７の一方のローラ、Ｒ２ローラ対１１の一方のローラ、原稿排紙ローラ対１２の一方のローラ等がユニット化されてなるもうひとつの原稿搬送部と、Ｒ１ローラ対７の他方のローラ、密着イメージセンサ９、コンタクトガラス９ａ、Ｒ２ローラ対１１の他方のローラ、原稿排紙ローラ対１２の他方のローラなどからなる原稿読取部とから構成されている。そして、原稿搬送部が原稿読取部の上部に回動可能に設置されており、Ｒ１ローラ対７から原稿排紙ローラ対１２までの原稿搬送路については、原稿搬送部の下面が上ガイド板１０ｂとなり、原稿読取部の上面が下ガイド板１０ａとなる。
【０００５】
図８はアクチュエータ型フォトセンサの構成を示す斜視図であり、１５は本体、１６は装置本体１５に回動可能に設置されたアクチュエータ、１７はアクチュエータ１６に対して一定方向に付勢するねじりコイルばねを示す。
【０００６】
省スペース・低コストなどの理由からＳ０センサ６またはＳ１センサ８には、図８に示すアクチュエータ型フォトセンサが用いられることが多い。Ｓ０センサ６またはＳ１センサ８の原稿検出位置に該当する上ガイド板１０ｂの部位には孔部１０ｄ（図１０を基に後述する）が設けられており、この孔部１０ｄにアクチュエータ１６が遊嵌するように、本体１５がガイド板１０の裏側に取り付けられている。この時、アクチュエータ１６の一端部は、下ガイド板１０ａにおける孔部１０ｄの対向部位に設けられたアクチュエータ１６の逃げ用の孔部１０ｃ（図１０を基に後述する）に遊嵌しており、アクチュエータ１６は原稿搬送路上に位置付けられている。本体１５には投光部と受光部が備えられており、この投光部と受光部との間にアクチュエータ１６の他端部が配置されている。
【０００７】
そして、原稿が無い場合には、ねじりコイルばね１７の付勢によってアクチュエータ１６は初期位置にあり、他端部が投光部からの光を遮断するため、Ｓ０センサ６またはＳ１センサ８の出力はＯＦＦになる。原稿が有る場合には、原稿によってアクチュエータ１６が押し上げられ、ねじりコイルばね１７の付勢に抗して回動する。その結果、他端部による投光部からの光の遮断状態が解除されて、投光部からの光が受光部によって検出されるため、Ｓ０センサ６またはＳ１センサ８の出力はＯＮになる。
【０００８】
図９は図７のコンタクトガラス付近の構成を示す斜視図である。密着イメージセンサ９に対して原稿搬送方向上流側にＳ１センサ８のアクチュエータ１６の自由端が遊嵌する孔部１０ｃが下ガイド１０ａに形成されている。さらに、図１０は図９の孔部付近の断面図であり、孔部１０ｃに対向する上ガイド板１０ｂの部位に孔部１０ｄが形成されており、この孔部１０ｄからアクチュエータ１６が突出している。
【０００９】
原稿載置台１には１頁目の原稿が最上位でかつ画像面が上になるように配置される。原稿載置台１から搬送された原稿は、画像面が上ガイド板１０ｂに、画像面の反対面が下ガイド板１０ａによってガイドされて、Ｒ０ローラ対５からＲ１ローラ対７に到達するまでに反転されて、画像面が原稿読取部に向けられる。この時、原稿先端がＳ０センサ６を通過するとＳ０センサ６が原稿先端を検知してＯＮになり、さらにＳ１センサ８が原稿先端を検知してＯＮになった時点でフィードローラ３，Ｒ０ローラ対５およびＲ１ローラ対７が一旦停止して原稿の搬送速度が変わり、画像面が下方を向いた状態でコンタクトガラス９ａに搬送され、コンタクトガラス９ａ上を原稿の画像面が一定速度で通過する。この時、密着イメージセンサ９によって画像が光学的に読み取られる。
【００１０】
そして、Ｓ０センサ６が原稿後端を検知してＯＦＦになった後に２頁目の原稿の搬送を開始して、２頁目の原稿先端をＳ０センサ６が検知してＯＮになった時点で、フィードローラ３およびＲ０ローラ対５を停止させて待機状態にする。その後、Ｓ１センサ８が１頁目の原稿後端を検知してＯＦＦになった後にフィードローラ３およびＲ０ローラ対５を回転させて、上述した回転制御に基づいて２頁目の原稿をコンタクトガラス９ａに搬送させる。さらに、Ｓ１センサ８が１頁目の原稿後端を検知した後、原稿後端が画像読取位置を通過する程度の時間を経過させてから、Ｒ２ローラ対１１および原稿排紙ローラ対１２の回転を早めて、１頁目の原稿を排紙台１３に排出させる。
【特許文献１】実願昭６１−８５８５３号(実開昭６２−１９７６４１号)のマイクロフィルム
【特許文献２】特開平１−１２２８５１号公報
【特許文献３】実願昭６０−１７５４３５号(実開昭６２−８３０３４号)のマイクロフィルム
【発明の開示】
【発明が解決しようとする課題】
【００１１】
ところで、原稿を案内するためには、一対のガイド板１０間にある程度の隙間が必要となる。ところが、原稿の厚みや原稿端部のカール状態などが原因となってこの隙間を通過する原稿位置がばらつき、その結果Ｓ１センサ８のアクチュエータの角度がばらつくことにより、Ｓ１センサ８のＯＮ／ＯＦＦタイミングにずれが生じ、原稿の画像情報の読取開始・終了位置がばらついてしまう、という不具合が発生するおそれがある。
【００１２】
この場合、ガイド板１０の隙間を小さくすれば、上述したばらつきの発生を低減させることができるが、その代わりに搬送不良や、一方のガイド板がユニットの開閉によって移動する構造の場合には開閉障害を引き起こすおそれがある。
【００１３】
本発明は、このような問題点を解決し、原稿の位置情報を取得するために設けた検知手段がより正確に検知結果を出力できるようにした原稿搬送装置および原稿読取装置を提供することを目的とする。
【課題を解決するための手段】
【００１４】
前記目的を達成するための本発明の原稿搬送装置は、原稿を搬送する搬送手段と、原稿搬送時に原稿の両面が当接する一対の案内手段と、原稿搬送時に先後端を検知する検知手段とを備えた原稿搬送装置において、前記案内手段における前記検知手段による検知位置近傍の部位に凸部を設け、前記凸部を、原稿の画像面の反対面に当接させる部位に設けたことを特徴とする。
【００１５】
また本発明の原稿読取装置は、前述した本発明の原稿搬送装置と、この原稿搬送装置によって搬送された原稿の画像を読み取る画像読取手段とを有することを特徴とする。このように構成したことにより、より正確な原稿の位置情報に基づいて画像読取時の原稿搬送制御を行うことが可能になる。
【発明の効果】
【００１６】
以上、説明したように構成された本発明によれば、原稿検知手段近傍に設けられた凸部によって上下の案内手段間の隙間が小さくなるため、原稿の厚みや原稿端部のカール状態などに起因する原稿通過位置のばらつきが抑制され、その結果、原稿検知手段の検知ばらつきが低減し、原稿検知手段に基づく原稿の画像情報の読取開始・終了位置に関する情報を正確に得ることが可能になる。また、凸部と原稿面のこすれにより原稿の画像情報が欠落したり、また、搬送路内に落下したトナーや紙粉が原因の読取異常が発生することを防ぐことが可能になる。
【発明を実施するための最良の形態】
【００１７】
以下、本発明の実施形態について、図面を参照しながら詳細に説明する。なお、図７〜図１０に示す従来技術における部材と同一または同一機能の部材については同一の符号を付して詳細な説明は省略する。
【００１８】
図１は本発明の実施形態を説明するための参考例１としての原稿搬送装置を含む原稿読取装置における画像読取部付近の要部構成を示す斜視図であり、１０ｅ，１０ｅは孔部１０ｃの両側近傍に形成された凸部を示す。
【００１９】
この凸部１０ｅ，１０ｅは、原稿搬送方向に長く延びるように形成されており、さらに凸部１０ｅ，１０ｅの両端部はなだらかな斜面として形成されている。
【００２０】
図２は参考例１の装置における画像読取部付近の断面図であり、１０ｆ，１０ｆは凸部１０ｅ，１０ｅに対向する上ガイド板１０ｂの部位に形成した凹部を示す。
【００２１】
ここで、図１に示す構成はＳ１センサ８近傍の構成であるが、同様な構成が、Ｓ０センサ６近傍にも施されている。
【００２２】
そして、原稿がＳ１センサ８による検知位置を通過する際、凸部１０ｅ，１０ｅによって下ガイド板１０ａと上ガイド板１０ｂとの隙間が小さくなるので、原稿端部の形状およびアクチュエータ１６（図８参照）に当接する位置を安定させた状態で検知位置を通過させることができる。
【００２３】
このように構成した参考例１によれば、孔部１０ｃ（もしくは凹部）近傍に凸部１０ｅ，１０ｅを設けたことにより、Ｓ０センサ６あるいはＳ１センサ８に対する原稿先後端の通過位置を安定させることができる。その結果、Ｓ０センサ６あるいはＳ１センサ８の検知結果の信頼性を向上させることができる。さらに、上ガイド板１０ｂにおける凸部１０ｅ，１０ｅの対向部位に凹部１０ｆ，１０ｆを形成することにより、最も厚い原稿が通過可能な幅まで、下ガイド板１０ａと上ガイド板１０ｂとの隙間を詰めることができる。
【００２４】
図３は参考例２の装置における画像読取部付近の断面図である。この参考例２の装置は、参考例１の装置における孔部１０ｃおよび孔部１０ｄの両側の凸部１０ｅ，１０ｅおよび凹部１０ｆ，１０ｆにおける一方の凸部１０ｅおよび凹部１０ｆの位置を入れ替えた構成としたものである。
【００２５】
このように構成した参考例２によれば、Ｓ０センサ６あるいはＳ１センサ８に対して原稿先後端の通過タイミングをさらに安定して検知することができる。
【００２６】
図４は参考例３の装置における画像読取部付近の断面図であり、参考例３は、図４に示すように、孔部１０ｃの一方の側部のみに凸部１０ｅを設け、上ガイド板１０ｂにおける凸部１０ｅの対向部位に凹部１０ｆを設けた構成である。
【００２７】
図５は参考例４の装置における画像読取部付近の断面図であり、参考例４は、図５に示すように、孔部１０ｃの両側部に凸部１０ｅを設け、上ガイド板１０ｂにおける凸部１０ｅの対向部位に凹部１０ｆを設けないようにしたものである。
【００２８】
図６は本発明の一実施形態の装置における画像読取部付近の断面図である。本実施形態は、図６に示すように、凸部１０ｅを上ガイド板１０ｂに設けたものである。この構成の場合、凸部と原稿面のこすれにより原稿の画像情報が欠落したり、搬送路内に落下したトナーや紙粉が原因で読取異常が発生することを防ぐことが可能である。また、孔部１０ｃはアクチュエータ１６の先端部の逃げとして機能すれば良いため、凹部として形成しても良い。
【産業上の利用可能性】
【００２９】
本発明は、原稿搬送装置および原稿読取装置を有する複写機やファクシミリ装置またはこれらの機能を備えた複合機の分野に利用可能である。
【図面の簡単な説明】
【００３０】
【図１】本発明の実施形態を説明するための参考例１としての原稿搬送装置を含む原稿読取装置における画像読取部付近の要部構成を示す斜視図
【図２】参考例１の装置における画像読取部付近の断面図
【図３】参考例２の装置における画像読取部付近の断面図
【図４】参考例３の装置における画像読取部付近の断面図
【図５】参考例４の装置における画像読取部付近の断面図
【図６】本発明の一実施形態の装置における画像読取部付近の断面図
【図７】従来の原稿搬送装置の構成を示す説明図
【図８】アクチュエータ型フォトセンサの構成を示す斜視図
【図９】図７のコンタクトガラス付近の構成を示す斜視図
【図１０】図９の孔部付近の断面図
【符号の説明】
【００３１】
１    原稿載置台
２    ピックアップローラ
３    フィードローラ
４    分離ローラ
５    Ｒ０ローラ対
６    Ｓ０センサ
７    Ｒ１ローラ対
８    Ｓ１センサ
９    密着イメージセンサ
９ａ  コンタクトガラス
１０  ガイド板
１０ａ  下ガイド板
１０ｂ  上ガイド板
１０ｃ，１０ｄ  孔部
１０ｅ  凸部
１０ｆ  凹部
１１  Ｒ２ローラ対
１２  原稿排紙ローラ対
１３  排紙台
１４  補助原稿載置台
【図１】
2005039843.tif 000003
【図２】
2005039843.tif 000004
【図３】
2005039843.tif 000005
【図４】
2005039843.tif 000006
【図５】
2005039843.tif 000007
【図６】
2005039843.tif 000008
【図７】
2005039843.tif 000009
【図８】
2005039843.tif 000010
【図９】
2005039843.tif 000011
【図１０】
2005039843.tif 000012